(57)【特許請求の範囲】
【請求項１】
蓄電装置の内部インピーダンスが温度に応じて変化しなくなる少なくとも１つの周波数における前記内部インピーダンス、又は、前記内部インピーダンスの実部が温度に応じて変化しなくなる少なくとも１つの周波数における前記実部を測定し、
前記内部インピーダンスの測定値又は前記実部の測定値に基づいて、前記蓄電装置のＳＯＣ（ｓｔａｔｅ  ｏｆ  ｃｈａｒｇｅ）又はＳＯＨ（ｓｔａｔｅ  ｏｆ  ｈｅａｌｔｈ）を推定する
ことを特徴とする蓄電装置状態推定方法。
【請求項２】
前記内部インピーダンスを測定する周波数は、前記内部インピーダンス中のイオン伝導に基づく成分の温度に応じた変化と、前記内部インピーダンス中の電子伝導に基づく成分の温度に応じた変化とが相殺する周波数であることを特徴とする
請求項１に記載の蓄電装置状態推定方法。
【請求項３】
前記実部を測定する周波数は、前記実部中のイオン伝導に基づく成分の温度に応じた変化と、前記実部中の電子伝導に基づく成分の温度に応じた変化とが相殺する周波数であることを特徴とする
請求項１に記載の蓄電装置状態推定方法。
【請求項４】
前記内部インピーダンスが温度に応じて変化しなくなる周波数、又は、前記実部が温度に応じて変化しなくなる周波数が複数存在しており、
当該複数の周波数のうち、測定対象の前記内部インピーダンス若しくは前記実部の温度に応じた変化量の周波数に対する変化率、又は、測定対象の前記内部インピーダンス若しくは前記実部の前記ＳＯＣに応じた変化量の周波数に対する変化率が最も小さい周波数において前記測定を行うことを特徴とする
請求項１乃至３のいずれか一項に記載の蓄電装置状態推定方法。
【請求項５】
前記内部インピーダンスが温度に応じて変化しなくなる周波数、又は、前記実部が温度に応じて変化しなくなる周波数が複数存在しており、
当該複数の周波数において前記内部インピーダンス若しくは前記実部の前記測定をそれぞれ行い、
当該複数の周波数における前記内部インピーダンス若しくは前記実部の測定値に基づいて前記ＳＯＣ又は前記ＳＯＨの前記推定をそれぞれ行い、
当該複数の周波数に基づく複数の前記推定の結果の平均値を算出することを特徴とする
請求項１乃至３のいずれか一項に記載の蓄電装置状態推定方法。
【請求項６】
前記蓄電装置がリチウムイオン電池であり、
前記内部インピーダンスの前記測定を４ｋＨｚ及び／又は５００ｋＨｚの周波数で行うことを特徴とする、
請求項１乃至５のいずれか一項に記載の蓄電装置状態推定方法。
【請求項７】
前記蓄電装置がリチウムイオン電池であり、
前記実部の前記測定を１０ｋＨｚ及び／又は４ＭＨｚの周波数で行うことを特徴とする、
請求項１乃至５のいずれか一項に記載の蓄電装置状態推定方法。
【請求項８】
前記蓄電装置の充電及び放電が停止された状態で前記蓄電装置の温度が変化する所定の温度変化期間において、所定の周波数範囲における前記内部インピーダンス若しくは前記実部の周波数応答特性を複数回繰り返し測定し、
当該複数の周波数応答特性の測定結果が示す複数の周波数応答曲線の交点に対応する周波数を、前記内部インピーダンス若しくは前記実部が温度に応じて変化しなくなる周波数として取得する、
請求項１乃至５のいずれか一項に記載の蓄電装置状態推定方法。
【請求項９】
前記周波数特性の測定結果に含まれる前記内部インピーダンス若しくは前記実部の測定値の中で、前記交点に対応する周波数に最も近い周波数における測定値を、前記蓄電装置のＳＯＣ又はＳＯＨの推定に用いるべき測定値として取得することを特徴とする
請求項８に記載の蓄電装置状態推定方法。
【請求項１０】
前記温度変化期間が、前記蓄電装置の充電若しくは放電が終了した直後の期間であることを特徴とする
請求項８又は９に記載の蓄電装置状態推定方法。
【請求項１１】
前記周波数応答特性の測定において、前記蓄電装置に供給する交流信号の周波数を前記所定の周波数範囲において低周波から高周波若しくは高周波から低周波へ変化させながら、当該周波数範囲に含まれる複数の周波数において前記内部インピーダンス若しくは前記実部を測定することを特徴とする
請求項８乃至１０の何れか一項に記載の蓄電装置状態推定方法。
【発明の詳細な説明】
【技術分野】
【０００１】
本発明は、リチウムイオン電池等の蓄電装置の状態を推定する方法に関し、特に、蓄電装置の劣化状態や充電状態を簡易な構成で推定する方法に関するものである。
【背景技術】
【０００２】
リチウムイオン電池や電気二重層キャパシタなどの蓄電装置は、携帯電話機や自動車などの様々な分野で広く使用されている。蓄電装置を電力供給源として使用する場合、電気残量や劣化状態を正しく把握する必要がある。例えば電気自動車の場合、予期せぬ場所で運転できなくなるような事態を回避するためには、バッテリの電気残量の情報が必要となる。また、バッテリの交換時期の判定や、バッテリの長寿命化のために行う充電・放電の制御においては、バッテリの劣化状態の情報が必要となる。
【０００３】
蓄電装置の充電状態（ＳＯＣ：ｓｔａｔｅ  ｏｆ  ｃｈａｒｇｅ）や劣化状態（ＳＯＨ：ｓｔａｔｅ  ｏｆ  ｈｅａｌｔｈ）を推定するため、従来より様々な方法が提案されている。下記の特許文献１には、所定の状態（例えば満充電状態）において測定された二次電池の内部抵抗と、任意の状態において測定された内部抵抗との比を求め、この内部抵抗比に対応する相対ＳＯＣ（残容量と満充電容量との比）を、事前の測定で得られたデータテーブルに基づいて求める方法が記載されている。また、特許文献１には、相対ＳＯＣの変化と電流積算量との比に基づいてＳＯＨを求める方法が記載されている。二次電池の内部抵抗は温度に応じて変化するため、特許文献１に記載される方法では、二次電池の温度の測定結果に応じて内部抵抗を補正する処理が行われている。
【０００４】
他方、下記の特許文献２には、蓄電装置の逐次の電力損失を測定するとともに蓄電装置の端子温度を測定し、蓄電装置の中心から端子までの熱抵抗と逐次の電力損失とに基づいて、蓄電装置の端子と中心との温度差を求め、この温度差を端子温度の測定値に加算することにより、蓄電装置の中心の温度を検出する方法が記載されている。
【先行技術文献】
【特許文献】
【０００５】
【特許文献１】特開２０１２−１８９３７３号公報
【特許文献２】特開２０１１−２３２０８３号公報
【発明の概要】
【発明が解決しようとする課題】
【０００６】
特許文献１に記載される方法のように、ＳＯＨやＳＯＣを蓄電装置の内部抵抗等に基づいて推定する方法が従来より知られている。一般に、蓄電装置の内部抵抗（直流抵抗，交流抵抗）は温度に応じて変化し、ＳＯＨやＳＯＣと内部抵抗との関係も温度に応じて変化する。内部抵抗とともに温度も加味しなければ、正確なＳＯＨやＳＯＣを推定できない。そのため、内部抵抗等に基づいてＳＯＨやＳＯＣを推定する従来の方法では、蓄電装置の温度も測定する必要がある。しかしながら、蓄電装置の正確な温度の測定は、特許文献２において記載されるように複雑かつ困難であり、装置構成やデータ処理が複雑になるという問題がある。
【０００７】
本発明はかかる事情に鑑みてなされたものであり、その目的は、温度の測定を行わない簡易な方法で蓄電装置の状態を正確に推定できる蓄電装置状態推定方法を提供することにある。
【課題を解決するための手段】
【０００８】
本発明に係る蓄電装置状態推定方法は、蓄電装置の内部インピーダンスが温度に応じて変化しなくなる少なくとも１つの周波数における前記内部インピーダンス、又は、前記内部インピーダンスの実部が温度に応じて変化しなくなる少なくとも１つの周波数における前記実部を測定し、前記内部インピーダンスの測定値又は前記実部の測定値に基づいて、前記蓄電装置のＳＯＣ（ｓｔａｔｅ  ｏｆ  ｃｈａｒｇｅ）又はＳＯＨ（ｓｔａｔｅ  ｏｆ  ｈｅａｌｔｈ）を推定することを特徴とする。
【０００９】
好適に、前記内部インピーダンスを測定する周波数は、前記内部インピーダンス中のイオン伝導に基づく成分の温度に応じた変化と、前記内部インピーダンス中の電子伝導に基づく成分の温度に応じた変化とが相殺する周波数である。
また、好適に、前記実部を測定する周波数は、前記実部中のイオン伝導に基づく成分の温度に応じた変化と、前記実部中の電子伝導に基づく成分の温度に応じた変化とが相殺する周波数である。
【００１０】
上記の蓄電装置状態推定方法では、前記内部インピーダンスが温度に応じて変化しなくなる周波数における前記内部インピーダンスの測定値、又は、前記内部インピーダンスの実部が温度に応じて変化しなくなる周波数における当該実部の測定値に基づいて、前記蓄電装置のＳＯＣ又はＳＯＨが推定される。温度に依存しない前記内部インピーダンス又は前記実部の測定値に基づいて蓄電装置の状態が推定されるため、前記蓄電装置の温度測定が不要になる。
【００１１】
上記の蓄電装置状態推定方法において、前記内部インピーダンスが温度に応じて変化しなくなる周波数、又は、前記実部が温度に応じて変化しなくなる周波数は、複数存在していてもよい。その場合、当該複数の周波数のうち、測定対象の前記内部インピーダンス若しくは前記実部の温度に応じた変化量の周波数に対する変化率、又は、測定対象の前記内部インピーダンス若しくは前記実部の前記ＳＯＣに応じた変化量の周波数に対する変化率が最も小さい周波数において前記測定を行ってよい。
これにより、僅かな測定誤差や周波数特性の個体ばらつき等の影響による推定精度の低下が抑えられる。
【００１２】
あるいは、前記内部インピーダンスが温度に応じて変化しなくなる周波数、又は、前記実部が温度に応じて変化しなくなる周波数が複数存在する場合、当該複数の周波数において前記内部インピーダンス若しくは前記実部の前記測定をそれぞれ行い、当該複数の周波数における前記内部インピーダンス若しくは前記実部の測定値に基づいて、前記ＳＯＣ又は前記ＳＯＨの前記推定をそれぞれ行ってもよい。そして、当該複数の周波数に基づく複数の前記推定の結果の平均値を算出するようにしてもよい。
これにより、測定誤差や周波数特性の個体ばらつき等の影響によって推定結果に大きな誤差が生じる可能性が低減される。
【００１３】
上記蓄電装置状態推定方法において、前記蓄電装置はリチウムイオン電池であってよい。この場合、前記内部インピーダンスの前記測定は、４ｋＨｚ及び／又は５００ｋＨｚの周波数で行ってよい。また、前記蓄電装置がリチウムイオン電池の場合、前記実部の前記測定は、１０ｋＨｚ及び／又は４ＭＨｚの周波数で行ってよい。
【００１４】
上記蓄電装置状態推定方法では、前記蓄電装置の充電及び放電が停止された状態で前記蓄電装置の温度が変化する所定の温度変化期間において、所定の周波数範囲における前記内部インピーダンス若しくは前記実部の周波数応答特性を複数回繰り返し測定してよい。そして、当該複数の周波数応答特性の測定結果が示す複数の周波数応答曲線の交点に対応する周波数を、前記内部インピーダンス若しくは前記実部が温度に応じて変化しなくなる周波数として取得してよい。
これにより、蓄電装置ごとに特性がばらつく場合でも、前記内部インピーダンス若しくは前記実部が温度に応じて変化しなくなる周波数として、個体毎の適切な周波数が取得される。
【００１５】
また、上記蓄電装置状態推定方法では、前記周波数特性の測定結果に含まれる前記内部インピーダンス若しくは前記実部の測定値の中で、前記交点に対応する周波数に最も近い周波数における測定値を、前記蓄電装置のＳＯＣ又はＳＯＨの推定に用いるべき測定値として取得してもよい。
これにより、既に得られた測定値の中から前記蓄電装置の状態推定に用いるべき測定値が取得されるため、前記内部インピーダンス若しくは前記実部が温度に応じて変化しなくなる周波数を取得した後でその周波数での前記内部インピーダンス若しくは前記実部を更に測定する方法に比べて、測定回数が少なくなる。
【００１６】
前記温度変化期間は、例えば、前記蓄電装置の充電若しくは放電が終了した直後の期間であってよい。
前記周波数応答特性の測定においては、前記蓄電装置に供給する交流信号の周波数を前記所定の周波数範囲において低周波から高周波若しくは高周波から低周波へ変化させながら、当該周波数範囲に含まれる複数の周波数において前記内部インピーダンス若しくは前記実部を測定するようにしてよい。
【発明の効果】
【００１７】
本発明によれば、温度の測定を行わない簡易な方法で蓄電装置の状態を正確に推定できる。
【図面の簡単な説明】
【００１８】
【図１】本発明の第１の実施形態に係る蓄電装置状態推定システムの構成の一例を示す図である。
【図２】蓄電装置の一例を示す図であり、リチウムイオン二次電池の構造を模式的に表した図である。
【図３】蓄電装置の内部インピーダンスの温度依存性が周波数に応じて変化することを示す図である。
【図４】蓄電装置の内部インピーダンスのＳＯＣ依存性が周波数に応じて変化すること示す図である。
【図５】図４に示すＳＯＣ依存性と図３に示す温度依存性との比を示す図である。
【図６】蓄電装置の内部インピーダンスにおける実部の温度依存性が周波数に応じて変化すること示す図である。
【図７】蓄電装置の内部インピーダンスにおける実部のＳＯＣ依存性が周波数に応じて変化すること示す図である。
【図８】図７に示すＳＯＣ依存性と図６に示す温度依存性との比を示す図である。
【図９】本発明の第２の実施形態に係る蓄電装置状態推定システムにおいて推定値を得る手順の一例を示す図である。
【図１０】蓄電装置の内部インピーダンス若しくはその実部の周波数特性が温度に応じて変化することを示す図である。
【図１１】本発明の第３の実施形態に係る蓄電装置状態推定システムにおいて推定値を得る手順の一例を示す図である。
【図１２】本発明の第３の実施形態に係る蓄電装置状態推定システムにおいて推定値を得る手順の他の例を示す図である。
【図１３】蓄電装置状態推定システムの一変形例を示す図である。
【図１４】蓄電装置状態推定システムの他の変形例を示す図である。
【発明を実施するための形態】
【００１９】
＜第１の実施形態＞
図１は、本発明の第１の実施形態に係る蓄電装置状態推定システム１００の構成の一例を示す図である。図１に示すシステム１００は、蓄電装置１０１に交流信号を供給する交流信号源部１０２と、蓄電装置１０１に流れる電流を検出する電流検出部１０３と、蓄電装置１０１に印可される電圧を検出する電圧検出部１０４と、検出された電流及び電圧に基づいて蓄電装置１０１の内部インピーダンスを算出する内部インピーダンス算出部１０５と、内部インピーダンス算出部１０５の算出結果に基づいて蓄電装置１０１の状態（ＳＯＣ，ＳＯＨ）を推定する状態推定部１０６を有する。
【００２０】
蓄電装置１０１は、例えば、リチウムイオン二次電池等の充電可能な化学電池や、電気二重層キャパシタのようにイオンを利用して電気エネルギーを蓄積する装置を含んで構成される。
【００２１】
図２は、蓄電装置１０１の一例としてリチウムイオン二次電池の構造を模式的に表した図である。蓄電装置１０１は、一般的な構成要素として、正極集電体Ａ１、負極集電体Ｃ１、電解質Ｅ１及びセパレータＳ１を有する。また、蓄電装置１０１は、リチウムイオン二次電池として上述した構成要素の他に、例えば正極集電体Ａ１側の電気を貯める物質である正極活物質Ａ５１や、負極集電体Ｃ１側の電気を溜める物質である負極活物質Ｃ５１、電気の流れを良くするために加える導電助材Ｄ５１、バインダーである結着材等を有する。
【００２２】
リチウムイオン二次電池の場合、正極集電体Ａ１としてアルミニウム（Ａｌ）、負極集電体Ｃ１として銅（Ｃｕ）、電解質Ｅ１として有機系の溶媒（Ｃ４Ｈ６Ｏ３等）とリチウム塩（ＬｉＰＦ６等）の溶質とから構成される溶液、正極活物質Ａ５１としてコバルト酸リチウム（ＬｉＣｏＯ２）、負極活物質Ｃ５１として炭素（Ｃ）が一般的に使用される。正極活物質Ａ５１としては、ニッケル酸リチウム（ＬｉＮｉＯ２）、マンガン酸リチウム（ＬｉＭｎ２Ｏ４）、オリビン型リン酸鉄リチウム（ＬｉＦｅＰＯ４）などが使用されてもよい。負極活物質Ｃ５１の炭素（Ｃ）には、例えば層状に形成された黒鉛の結晶が用いられており、層と層の間にリチウムがイオンの状態で蓄えられているのが特徴である。負極活物質Ｃ５１としては、チタン酸リチウム（Ｌｉ４Ｔｉ５Ｏ１２）、一酸化珪素（ＳｉＯ）、Ｓｎ合金、Ｓｉ合金などが用いられてもよい。
【００２３】
交流信号源部１０２は、蓄電装置１０１の内部インピーダンスを測定するための交流信号を発生する回路であり、図１の例では、蓄電装置１０１から負荷ＲＬへ流れる電流の経路に設けられている。交流信号源部１０２は、例えば、内部インピーダンス算出部１０５からの制御信号に応じた振幅と周波数を有する交流信号を発生し、蓄電装置１０１に供給する。交流信号源部１０２が発生する交流信号の周波数は、蓄電装置１０１の内部インピーダンス若しくはその実部が温度に応じて変化しなくなる（温度係数がゼロになる）周波数に設定される。この周波数については、後ほど詳しく説明する。
【００２４】
電流検出部１０３は、蓄電装置１０１から流れる電流を検出する回路であり、蓄電装置１０１から負荷ＲＬへ流れる電流の経路に設けられている。電流検出部１０３は、例えば磁気抵抗素子などの電流センサと、その電流センサの出力信号を処理する信号処理回路を含む。
電圧検出部１０４は、蓄電装置１０１の正極端子と負極端子の間に生じる電圧を検出する回路であり、電圧増幅回路などを含む。
電流検出部１０３及び電圧検出部１０４は、例えばデジタル−アナログ変換回路を含んでおり、内部インピーダンス算出部１０５からの制御信号に応じて検出信号のデジタル−アナログ変換を実行し、デジタル値に変換された検出信号のデータを内部インピーダンス算出部１０５に出力する。
【００２５】
内部インピーダンス算出部１０５は、電流検出部１０３及び電圧検出部１０４から取得した蓄電装置１０１の電流及び電圧の検出結果に基づいて、蓄電装置１０１の内部インピーダンスを算出する。
内部インピーダンス算出部１０５は、例えば、プログラムの命令コードに従って処理を実行するコンピュータを含んで構成される。コンピュータは、例えばマイクロプロセッサ、作業用メモリ、記憶装置（ハードディスクやＳＳＤなど）を備えており、電流検出部１０３及び電圧検出部１０４の制御や、電流・電圧の検出結果のデータ処理をプログラムに基づいて実行する。
【００２６】
内部インピーダンス算出部１０５は、具体的には、蓄電装置１０１の内部インピーダンス若しくはその実部が温度に応じて変化しなくなる所定の周波数ｆｅの交流信号を発生するように交流信号源部１０２を制御し、この交流信号が供給された蓄電装置１０１の電圧及び電流の検出結果を電流検出部１０３及び電圧検出部１０４から取得する。内部インピーダンス算出部１０５は、電圧及び電流の検出結果における周波数ｆｅの成分の振幅と位相を解析し、その解析結果をもとに、蓄電装置１０１の内部インピーダンスをフェーザとして表す複素数Ｚとその大きさ（ノルム）｜Ｚ｜を算出する。
【００２７】
なお、本明細書においては、内部インピーダンスをフェーザとして表す複素数Ｚのノルム｜Ｚ｜を、単に「内部インピーダンス」若しくは「内部インピーダンス｜Ｚ｜」と表記する場合がある。また、内部インピーダンスをフェーザとして表す複素数Ｚの実部Ｒを、「内部インピーダンスの実部」若しくは「実部Ｒ」と表記する場合がある。
【００２８】
状態推定部１０６は、内部インピーダンス算出部１０５において算出された蓄電装置１０１の内部インピーダンス｜Ｚ｜若しくは実部Ｒに基づいて、蓄電装置１０１のＳＯＣとＳＯＨを推定する。
状態推定部１０６は、例えば、プログラムの命令コードに従って処理を実行するコンピュータを含んで構成される。コンピュータは、例えばマイクロプロセッサ、作業用メモリ、記憶装置（ハードディスクやＳＳＤなど）を備えており、内部インピーダンス算出部１０５から取得した内部インピーダンス｜Ｚ｜若しくは実部Ｒのデータをプログラムに基づいて処理することで、ＳＯＣとＳＯＨの推定を行う。なお、内部インピーダンス算出部１０５と状態推定部１０６は、同一のコンピュータを用いて構成されてもよい。
【００２９】
状態推定部１０６において推定されるＳＯＣ（ｓｔａｔｅ  ｏｆ  ｃｈａｒｇｅ）は、蓄電装置１０１の残容量を表す指標であり、例えば、満充電時の蓄電量に対する推定時点の蓄電量の割合（％）として算出される。また、状態推定部１０６において推定されるＳＯＨ（ｓｔａｔｅ  ｏｆ  ｈｅａｌｔｈ）は、蓄電装置１０１の劣化の度合いを表す指標であり、例えば、未使用（新品）の蓄電装置１０１を満充電にしたときの蓄電量に対する推定時点の満充電状態における蓄電量の割合（％）として算出される。
【００３０】
状態推定部１０６は、例えば事前に用意されたデータテーブルを参照することによって、ＳＯＣの推定を行う。すなわち、状態推定部１０６は、種々の条件において測定やシュミレーションを行うことにより作成された内部インピーダンス｜Ｚ｜とＳＯＣのデータテーブル、若しくは、実部ＲとＳＯＣのデータテーブルを記憶装置に予め記憶する。状態推定部１０６は、内部インピーダンス算出部１０５において内部インピーダンス｜Ｚ｜や実部Ｒが算出されると、記憶装置に記憶したデータテーブルに基づいて、内部インピーダンス｜Ｚ｜若しくは実部Ｒの算出結果に対応するＳＯＣを推定する。
なお、状態推定部１０６は、劣化状態（ＳＯＨ）に応じた複数のデータテーブルを記憶装置に記憶していてもよい。この場合、状態推定部１０６は、後述するＳＯＨの推定結果に基づいて、複数のデータテーブルから適切なデータテーブルを選択し、選択したデータテーブルに基づいてＳＯＣの推定を行う。
【００３１】
状態推定部１０６は、例えば一定の充電状態（満充電状態など）において内部インピーダンス算出部１０５が算出した内部インピーダンス｜Ｚ｜や実部Ｒに基づき、ＳＯＨの推定を行う。具体的には、状態推定部１０６は、実測定やシュミレーションにより事前に作成された満充電状態の内部インピーダンス｜Ｚ｜とＳＯＨのデータテーブル、若しくは、満充電状態の実部ＲとＳＯＨのデータテーブルを記憶装置に予め記憶する。状態推定部１０６は、内部インピーダンス算出部１０５において満充電状態の内部インピーダンス｜Ｚ｜や実部Ｒが算出されると、記憶装置に記憶したデータテーブルに基づいて、満充電状態の内部インピーダンス｜Ｚ｜若しくは実部Ｒの算出結果に対応するＳＯＨを推定する。
【００３２】
また、状態推定部１０６は、ほぼ劣化のない条件（未使用時）において予め測定若しくはシュミレーションにより得られた一定の充電状態（満充電状態など）の内部インピーダンス｜Ｚ｜若しくは実部Ｒの基準値と、内部インピーダンス算出部１０５における内部インピーダンス｜Ｚ｜若しくは実部Ｒの算出値とに基づいて、蓄電装置１０１が所定の劣化状態に達したか否かを判定してもよい。例えば、状態推定部１０６は、記憶装置に予め記憶した上記の基準値と内部インピーダンス算出部１０５の算出値との比若しくは差を算出し、算出した比若しくは差と所定のしきい値とを比較し、この比較結果に基づいて蓄電装置１０１が所定の劣化状態に達したか否かの判定を行う。
【００３３】
次に、本実施形態において内部インピーダンス｜Ｚ｜の測定のために蓄電装置１０１へ供給する交流信号の周波数について、図３〜図５のグラフを参照して説明する。図３〜図５に示すグラフは、１８６５０タイプの円筒型リチウムイオン二次電池について測定されたデータをプロットしたものである。
【００３４】
図３は、蓄電装置１０１の内部インピーダンス｜Ｚ｜の温度依存性が周波数に応じて変化することを示す図である。図３の縦軸は、内部インピーダンス｜Ｚ｜の温度に応じた変化の度合いに関わる係数Ｚｔ［ｐｐｍ／℃］（以下、温度係数Ｚｔと記す。）を表し、横軸は周波数［Ｈｚ］を表す。図３のグラフによると、温度係数Ｚｔは、周波数ｆｅ１（約４ｋＨｚ）より低い周波数帯域において負の依存性を有し、周波数ｆｅ１付近で依存性が負から正へ変化し、周波数ｆｅ１（約４ｋＨｚ）から周波数ｆｅ２（約５００ｋＨｚ）までの周波数帯域において正の依存性を有し、周波数ｆｅ２付近で依存性が再び正から負へ戻り、周波数ｆｅ２（約５００ｋＨｚ）より高い周波数帯域では負の依存性を有する。
【００３５】
蓄電装置１０１の内部インピーダンス｜Ｚ｜には、イオンが電気伝導に関与することに基づく成分（以下、イオン伝導性成分と記す。）と、金属等の自由電子が電気伝導に関与することに基づく成分（以下、電子伝導性成分と記す。）が含まれる。一般に、イオンの移動度は温度の上昇に伴って高くなる（抵抗が小さくなる）傾向があるため、イオン伝導性成分は温度の上昇に伴って小さくなる。他方、金属等の自由電子は温度の上昇に伴って散乱を受けやすくなり、抵抗が大きくなるため、電子伝導性成分は温度の上昇に伴って大きくなる。
【００３６】
周波数ｆｅ１（約４ｋＨｚ）より低い周波数帯域においては、イオン伝導性成分が電子伝導性成分より支配的であるため、内部インピーダンス｜Ｚ｜の温度係数Ｚｔは、温度上昇に伴って小さくなる負の依存性を持つ。交流信号の周波数が高くなると、イオンが交流信号の変化に追従できなくなり、内部インピーダンス｜Ｚ｜におけるイオン伝導性成分の寄与が小さくなる。そして、交流信号の周波数がｆｅ１（約４ｋＨｚ）より高くなると、電子伝導性成分がイオン伝導性成分より支配的となるため、内部インピーダンス｜Ｚ｜の温度係数Ｚｔは正の依存性を持つ。
交流信号の周波数が更に高くなると、内部インピーダンス｜Ｚ｜におけるイオン伝導性成分の寄与が再び大きくなり、交流信号の周波数がｆｅ２（約５００ｋＨｚ）より高くなったところで、イオン伝導性成分が電子伝導性成分より再び支配的になる。高い周波数帯域において、内部インピーダンス｜Ｚ｜の温度係数Ｚｔは負の依存性に戻る。
【００３７】
このように、蓄電装置１０１の温度係数Ｚｔは、内部インピーダンス｜Ｚ｜におけるイオン伝導性成分と電子伝導性成分の寄与の割合が周波数に応じて変化することにより、正から負又は負から正へ依存性が変化するが、本発明においては、この依存性が正から負、負から正へ変化する特定の周波数（ｆｅ１，ｆｅ２）において温度係数Ｚｔがゼロになることに着目する。周波数ｆｅ１，ｆｅ２においては、イオン伝導性成分の温度に応じた変化と電子伝導性成分の温度に応じた変化が相殺することにより、温度係数Ｚｔがゼロになるため、内部インピーダンス｜Ｚ｜の測定値は、温度に依存しない値となる。従って、交流信号源部１０２の交流信号の周波数をこれらの値（ｆｅ１，ｆｅ２）に設定し、蓄電装置１０１の内部インピーダンス｜Ｚ｜を測定することにより、温度に依存しない正確な測定結果が得られる。
【００３８】
図４は、蓄電装置１０１の内部インピーダンスのＳＯＣ依存性が周波数に応じて変化すること示す図である。図４の縦軸は、内部インピーダンス｜Ｚ｜のＳＯＣに応じた変化の度合いに関わる係数Ｚｓｏｃ［ｐｐｍ／％］（以下、ＳＯＣ係数Ｚｓｏｃと記す。）を表し、横軸は周波数［Ｈｚ］を表す。図４のグラフによると、内部インピーダンス｜Ｚ｜の温度係数Ｚｔがゼロとなる周波数ｆｅ１（約４ｋＨｚ）及びｆｅ２（約５００ｋＨｚ）の付近において、ＳＯＣ係数Ｚｓｏｃの絶対値は２５０［ｐｐｍ／％］程度となっている。すなわち、周波数ｆｅ１，ｆｅ２において測定される内部インピーダンス｜Ｚ｜は、ＳＯＣに応じて十分に大きく変化する。このことは、これらの周波数において得られた内部インピーダンス｜Ｚ｜の測定結果に基づいてＳＯＣを推定可能であることを示す。
【００３９】
図５は、図４に示すＳＯＣ依存性と図３に示す温度依存性との比を示す図である。図５の縦軸はＳＯＣ係数Ｚｓｏｃと温度係数Ｚｔとの比の絶対値（｜Ｚｓｏｃ／Ｚｔ｜）を表し、横軸は周波数［Ｈｚ］を表す。図５のグラフによると、周波数ｆｅ１（約４ｋＨｚ）及びｆｅ２（約５００ｋＨｚ）の付近において、比の絶対値（｜Ｚｓｏｃ／Ｚｔ｜）かピーク状に高い値を示していることが分かる。これは、周波数ｆｅ１及びｆｅ２において温度係数Ｚｔがゼロとなる一方、ＳＯＣ係数Ｚｓｏｃは正又は負の値を保っていることによる。このグラフから、周波数ｆｅ１及びｆｅ２の付近においては、温度依存性の影響が小さい状態でＳＯＣ依存性を有した内部インピーダンス｜Ｚ｜を測定できることが分かる。
【００４０】
次に、本実施形態において実部Ｒの測定のために蓄電装置１０１へ供給する交流信号の周波数について、図６〜図８のグラフを参照して説明する。図６〜図８に示すグラフは、図３〜図５と同様に、１８６５０タイプの円筒型リチウムイオン二次電池について測定されたデータをプロットしたものである。
【００４１】
図６は、蓄電装置１０１の内部インピーダンスにおける実部Ｒの温度依存性が周波数に応じて変化すること示す図である。図６の縦軸は、実部Ｒの温度に応じた変化の度合いに関わる係数Ｒｔ［ｐｐｍ／℃］（以下、温度係数Ｒｔと記す。）を表し、横軸は周波数［Ｈｚ］を表す。図６のグラフによると、温度係数Ｒｔは、周波数ｆｅ３（約１０ｋＨｚ）より低い周波数帯域において負の依存性を有し、周波数ｆｅ３付近で依存性が負から正へ変化し、周波数ｆｅ３（約１０ｋＨｚ）から周波数ｆｅ４（約４ＭＨｚ）までの周波数帯域において正の依存性を有し、周波数ｆｅ４付近で依存性が再び正から負へ戻り、周波数ｆｅ４（約４ＭＨｚ）より高い周波数帯域では負の依存性を有する。
【００４２】
蓄電装置１０１の内部インピーダンスにおける実部Ｒにも、内部インピーダンス｜Ｚ｜と同様なイオン伝導性成分と電子伝導性成分が含まれる。
周波数ｆｅ３（約１０ｋＨｚ）より低い周波数帯域においては、イオン伝導性成分が電子伝導性成分より支配的であるため、実部Ｒの温度係数Ｒｔは、温度上昇に伴って小さくなる負の依存性を持つ。交流信号の周波数が高くなると、イオン伝導性成分の寄与が徐々に小さくなり、交流信号の周波数がｆｅ３（約１０ｋＨｚ）を超えたところで、電子伝導性成分がイオン伝導性成分より支配的となる。これにより、実部Ｒの温度係数Ｒｔは正の依存性を持つようになる。
交流信号の周波数が更に高くなると、実部Ｒにおけるイオン伝導性成分の寄与が再び大きくなり、交流信号の周波数がｆｅ４（約４ＭＨｚ）より高くなったところで、イオン伝導性成分が電子伝導性成分より再び支配的になる。高い周波数帯域において、実部Ｒの温度係数Ｒｔは負の依存性に戻る
【００４３】
温度係数Ｒｔがゼロになる周波数ｆｅ３，ｆｅ４においては、イオン伝導性成分の温度に応じた変化と電子伝導性成分の温度に応じた変化が相殺することにより、温度係数Ｒｔがゼロになるため、実部Ｒの測定値は、温度に依存しない値となる。従って、交流信号源部１０２の交流信号の周波数をこれらの値（ｆｅ３，ｆｅ４）に設定し、蓄電装置１０１の内部インピーダンスの実部Ｒを測定することにより、温度に依存しない正確な測定結果が得られる。
【００４４】
図７は、蓄電装置１０１の内部インピーダンスにおける実部ＲのＳＯＣ依存性が周波数に応じて変化すること示す図である。図７の縦軸は、実部ＲのＳＯＣに応じた変化の度合いに関わる係数Ｒｓｏｃ［ｐｐｍ／％］（以下、ＳＯＣ係数Ｒｓｏｃと記す。）を表し、横軸は周波数［Ｈｚ］を表す。図７のグラフによると、実部Ｒの温度係数Ｒｔがゼロとなる周波数ｆｅ３（約１０ｋＨｚ）及びｆｅ４（約４ＭＨｚ）の付近において、ＳＯＣ係数Ｒｓｏｃの絶対値は２５０〜３００［ｐｐｍ／％］程度となっている。すなわち、周波数ｆｅ３，ｆｅ４において測定される内部インピーダンスの実部Ｒは、ＳＯＣに応じて十分に大きく変化する。このことは、これらの周波数において得られた実部Ｒの測定結果に基づいてＳＯＣを推定可能であることを示す。
【００４５】
図８は、図７に示すＳＯＣ依存性と図６に示す温度依存性との比を示す図である。図８の縦軸はＳＯＣ係数Ｒｓｏｃと温度係数Ｒｔとの比の絶対値（｜Ｒｓｏｃ／Ｒｔ｜）を表し、横軸は周波数［Ｈｚ］を表す。図８のグラフによると、周波数ｆｅ３（約１０ｋＨｚ）の付近において、比の絶対値（｜Ｒｓｏｃ／Ｒｔ｜）かピーク状に高い値を示していることが分かる。これは、周波数ｆｅ３において温度係数Ｒｔがゼロとなる一方、ＳＯＣ係数Ｒｓｏｃは正又は負の値を保っていることによる。このグラフから、周波数ｆｅ３付近においては、温度依存性の影響が小さい状態でＳＯＣ依存性を有した実部Ｒを測定できることが分かる。
【００４６】
他方、温度係数Ｒｔがゼロになる周波数ｆｅ４（約４ＭＨｚ）の付近の比（｜Ｒｓｏｃ／Ｒｔ｜）は、周波数ｆｅ３に比べて僅かなピークを示すにとどまっている。これは、周波数ｆｅ４の付近における温度係数ＲｔやＳＯＣ係数Ｒｓｏｃの変化率が周波数ｆｅ３付近と比べて非常に大きくなっている（温度係数ＲｔやＳＯＣ係数Ｒｓｏｃの変化が急になっている）ため、測定誤差や周波数特性の変動などの影響により、周波数ｆｅ４の付近で十分なＳＯＣ依存性を有した実部Ｒを測定できない場合があること示している。
したがって、この場合、内部インピーダンスの実部Ｒの測定は、周波数ｆｅ３で行うことが望ましい。
【００４７】
このように、温度係数Ｒｔがゼロになる周波数ｆｅが複数存在する場合には、ＳＯＣ係数Ｒｓｏｃの周波数に対する変化率、若しくは、温度係数Ｒｔの周波数に対する変化率を比較し、変化率が最も小さい（周波数に対する変化が緩やかな）周波数ｆｅにおいて、実部Ｒの測定を行うようにしてもよい。これらの係数（Ｒｓｏｃ，Ｒｔ）の周波数に対する変化率が大きい場合、僅かな測定誤差や周波数特性の個体ばらつき等によって、十分なＳＯＣ依存性を有した実部Ｒを測定できない可能性があるからである。係数（Ｒｓｏｃ，Ｒｔ）の周波数変化率の小さい周波数ｆｅを選ぶことで、そのような可能性が低減するため、ＳＯＣやＳＯＨの推定精度が向上する。
【００４８】
なお、温度係数Ｚｔがゼロになる周波数ｆｅが複数存在する場合についても同様であり、ＳＯＣ係数Ｚｓｏｃの周波数に対する変化率、若しくは、温度係数Ｚｔの周波数に対する変化率が最も小さい周波数ｆｅにおいて、内部インピーダンス｜Ｚ｜の測定を行うことにより、ＳＯＣやＳＯＨの推定精度の向上を図ることができる。
【００４９】
以上説明したように、本実施形態に係る蓄電装置状態推定方法によれば、蓄電装置１０１の内部インピーダンスが温度に応じて変化しなくなる周波数において蓄電装置１０１の内部インピーダンス｜Ｚ｜が測定され、その測定値に基づいて蓄電装置１０１のＳＯＣ又はＳＯＨが推定される。また、本実施形態に係る蓄電装置状態推定方法によれば、蓄電装置１０１の内部インピーダンスの実部Ｒが温度に応じて変化しなくなる周波数において蓄電装置１０１の内部インピーダンスの実部Ｒが測定され、その測定値に基づいて、蓄電装置１０１のＳＯＣ又はＳＯＨが推定される。
これにより、蓄電装置１０１の温度に依存しない正確な内部インピーダンス｜Ｚ｜や実部Ｒが得られることから、蓄電装置１０１の温度を測定して内部インピーダンス｜Ｚ｜や実部Ｒの測定値を補正する工程が不要になり、測定の手順やシステム構成を簡易化できる。しかも、測定誤差を生じやすい蓄電装置１０１の温度をＳＯＣやＳＯＨの推定に用いなくて良いため、推定精度を高めることができる。
【００５０】
また、本実施形態に係る蓄電装置状態推定方法によれば、内部インピーダンス｜Ｚ｜が温度に応じて変化しなくなる周波数が複数存在する場合や、実部Ｒが温度に応じて変化しなくなる周波数が複数存在する場合に、これらの複数の周波数のうち、測定対象の内部インピーダンス｜Ｚ｜若しくは実部Ｒの温度に応じた変化量（Ｚｔ，Ｒｔ）の周波数変化率が最も小さい周波数、あるいは、測定対象の内部インピーダンス｜Ｚ｜若しくは実部ＲのＳＯＣに応じた変化量（Ｚｓｏｃ，Ｒｓｏｃ）の周波数変化率が最も小さい周波数において、内部インピーダンス｜Ｚ｜若しくは実部Ｒの当該測定が行われる。
これにより、僅かな測定誤差や周波数特性の個体ばらつきの影響を受けて、十分なＳＯＣ依存性を有した内部インピーダンス｜Ｚ｜や実部Ｒを測定できなくなる可能性を低減できるため、ＳＯＣやＳＯＨの推定精度を高めることができる。
【００５１】
＜第２の実施形態＞
次に、本発明の第２の実施形態について説明する。
上述した第１の実施形態に係る蓄電装置状態推定方法では、内部インピーダンス｜Ｚ｜が温度に応じて変化しなくなる周波数が複数存在する場合や、実部Ｒが温度に応じて変化しなくなる周波数が複数存在する場合に、これらの複数の周波数から、好適な１つの周波数が選択され、その周波数について蓄電装置１０１の状態の推定が行われる。これに対して、本実施形態に係る蓄電装置状態推定方法では、これらの複数の周波数について得られる複数の推定結果を平均化することによって、１つの推定結果が得られる。
【００５２】
図９は、本発明の第２の実施形態に係る蓄電装置状態推定システムにおいて推定値を得る手順の一例を示す図である。本実施形態に係る蓄電装置状態推定システムは、図１と同様な構成を有する。
【００５３】
内部インピーダンス｜Ｚ｜が温度に応じて変化しなくなる周波数が複数存在する場合や、実部Ｒが温度に応じて変化しなくなる周波数が複数存在する場合には、そのそれぞれの周波数において、内部インピーダンス｜Ｚ｜若しくは実部Ｒの測定が行われる（ＳＴ１００）。すなわち、各周波数の交流信号が交流信号源部１０２から出力され、その各周波数の内部インピーダンス｜Ｚ｜若しくは実部Ｒが内部インピーダンス算出部１０５において算出される。
【００５４】
次に、複数の周波数における内部インピーダンス｜Ｚ｜若しくは実部Ｒの測定値に基づいて、ＳＯＣ若しくはＳＯＨの推定がそれぞれ行われる（ＳＴ１０１）。すなわち、内部インピーダンス算出部１０５における各周波数の内部インピーダンス｜Ｚ｜若しくは実部Ｒの算出結果に基づいて、各周波数でのＳＯＣ若しくはＳＯＨが状態推定部１０６により推定される。
そして、この各周波数でのＳＯＣ若しくはＳＯＨの推定結果から、ＳＯＣ若しくはＳＯＨの平均値が算出される（ＳＴ１０２）。この平均値の算出は、例えば状態推定部１０６において行われる。
【００５５】
以上説明したように、本実施形態に係る蓄電装置状態推定方法によれば、複数の内部インピーダンス｜Ｚ｜若しくは実部Ｒの測定値に基づいて複数の蓄電装置状態（ＳＯＣ，ＳＯＨ）の推定結果が取得され、その複数の推定結果を平均化することにより一の推定結果が得られる。これにより、測定誤差や周波数特性の個体ばらつき等の影響によって推定結果に大きな誤差が生じる可能性を低減することができる。
【００５６】
＜第３の実施形態＞
次に、本発明の第３の実施形態について説明する。
上述した各実施形態では、内部インピーダンス｜Ｚ｜や実部Ｒが温度に応じて変化しなくなる周波数ｆｅが実測定やシュミレーション等によって予め取得されており、個々の状態推定が行われる場合には、記憶装置等に記憶された固定の周波数ｆｅにおいて内部インピーダンス｜Ｚ｜や実部Ｒの測定が行われる。そのため、周波数特性が蓄電装置１０１の個体毎にばらついていると、記憶装置等に記憶された周波数ｆｅにおいて温度依存性が現れてしまい、状態推定に誤差を生じる可能性がある。これに対し、本実施形態に係る蓄電装置状態推定方法では、蓄電装置１０１の温度を測定しない簡易な方法で蓄電装置１０１の個体毎の適切な周波数ｆｅが取得されるため、蓄電装置１０１の個体ばらつきの影響による状態推定誤差が低減される。
【００５７】
図１０は、蓄電装置１０１の内部インピーダンス｜Ｚ｜若しくは実部Ｒの周波数特性が温度に応じて変化することを示す図である。図１０の縦軸は内部インピーダンス｜Ｚ｜若しくは実部Ｒを表し、横軸は周波数を表す。図１０に示す複数のグラフは、異なる温度（Ｔ１〜Ｔ３）における内部インピーダンス｜Ｚ｜若しくは実部Ｒの周波数応答特性を示す。
【００５８】
例えば図１０において示すように、蓄電装置１０１の内部インピーダンス｜Ｚ｜や実部Ｒの周波数応答特性は蓄電装置１０１の温度に応じて全体的に変化するが、特定の周波数ｆｅにおいては、内部インピーダンス｜Ｚ｜や実部Ｒの値が温度に依らず一定となっている。この周波数ｆｅは、図３〜図５における周波数ｆｅ１，ｆｅ２や、図６〜図８における周波数ｆｅ３，ｆｅ４に相当する。そこで、本実施形態では、蓄電装置１０１の温度が変化する期間に内部インピーダンス｜Ｚ｜や実部Ｒの周波数応答特性を繰り返し測定し、その複数の周波数応答曲線の交点を求めることにより、内部インピーダンス｜Ｚ｜や実部Ｒの値が温度に依らず一定となる周波数ｆｅが取得される。
【００５９】
図１１は、本発明の第３の実施形態に係る蓄電装置状態推定システムにおいて推定値を得る手順の一例を示す図である。本実施形態に係る蓄電装置状態推定システムは、図１と同様な構成を有する。
【００６０】
内部インピーダン算出部１０５において、蓄電装置１０１の充電及び放電が停止された状態で蓄電装置１０１の温度が変化する所定の温度変化期間が開始したか否かが監視される（ＳＴ２００）。この温度変化期間は、例えば自動車のアイドリング・ストップなどによって蓄電装置１０１の充電若しくは放電が終了した直後の期間である。内部インピーダン算出部１０５には、例えば図示しない上位装置（ホストコンピュータ等）から当該期間の開始が通知される。
【００６１】
温度変化期間の開始が通知されると、内部インピーダン算出部１０５では、所定の周波数範囲における内部インピーダンス｜Ｚ｜若しくは実部Ｒの周波数応答特性が測定される（ＳＴ２０１）。この所定の周波数範囲は、例えば、実測定やシミュレーション等によって周波数ｆｅが確実に含まれると評価された周波数範囲に予め設定される。
【００６２】
例えば、内部インピーダン算出部１０５では、蓄電装置１０１に供給される交流信号の周波数が上記所定の周波数範囲の低周波側から高周波側若しくは高周波側から低周波側へ変化するように交流信号源部１０２が制御され、この所定の周波数範囲に含まれる複数の周波数において電流及び電圧の検出値がそれぞれ得られるように、電流検出部１０３及び電圧検出部１０４が制御される。そして、所定の周波数範囲に含まれる複数の周波数において得られた電流・電圧の検出値に基づいて、複数の周波数の各々における内部インピーダンス｜Ｚ｜若しくは実部Ｒの測定結果が内部インピーダン算出部１０５により算出される。この周波数応答特性の測定は、内部インピーダン算出部１０５において予め決められた時間間隔で所定回数反復される（ＳＴ２０２）。
【００６３】
複数の周波数応答特性の測定結果が得られると、当該複数の測定結果が示す複数の周波数応答曲線（図１０参照）の交点に対応した周波数が、内部インピーダンス｜Ｚ｜若しくは実部Ｒが温度に応じて変化しなくなる周波数ｆｅとして内部インピーダン算出部１０５により取得される（ＳＴ２０３）。例えば、周波数応答曲線は、周波数応答特性の測定データに基づいて、最小二乗法などにより所定の関数（多項式など）に近似される。そして、複数の周波数応答曲線の近似関数同士が交わる点が、解の公式の演算や数値解析演算など実行することで算出される。複数の交点が算出される場合には、その複数の交点に対応する複数の周波数を平均化することによって、周波数ｆｅが算出される。
【００６４】
周波数ｆｅが取得されると、その周波数ｆｅにおける内部インピーダンス｜Ｚ｜若しくは実部Ｒが内部インピーダン算出部１０５により測定される（ＳＴ２０４）。状態推定部１０６では、内部インピーダン算出部１０５によって測定された周波数ｆｅの内部インピーダンス｜Ｚ｜若しくは実部Ｒに基づいて、蓄電装置１０１のＳＯＣ若しくはＳＯＨが推定される（ＳＴ２０５）。
【００６５】
以上説明したように、本実施形態に係る蓄電装置状態推定方法では、蓄電装置１０１の充電及び放電が停止された状態で蓄電装置１０１の温度が変化する所定の温度変化期間において、所定の周波数範囲における内部インピーダンス｜Ｚ｜若しくは実部Ｒの周波数応答特性が複数回繰り返し測定される。そして、複数の周波数応答特性の測定結果が示す複数の周波数応答曲線の交点に対応する周波数が、内部インピーダンス｜Ｚ｜若しくは実部Ｒが温度に応じて変化しなくなる周波数ｆｅとして取得される。
これにより、周波数ｆｅが蓄電装置１０１の個体ごとにばらつく場合でも、個体毎の適切な周波数ｆｅを取得することができるため、個体に依らない固定の周波数ｆｅを用いる場合に比べて、個々の蓄電装置１０１の状態（ＳＯＣ，ＳＯＨ）を正確に推定できる。また、周波数ｆｅを取得するために蓄電装置１０１の温度を測定する必要がなく、内部インピーダン算出部１０５のデータ処理によって実現可能であるため、装置構成が複雑化しないというメリットがある。
【００６６】
なお、図１１のフローチャートにおいて示す方法では、ステップＳＴ２０３において取得された周波数ｆｅを用いて、内部インピーダンス｜Ｚ｜若しくは実部Ｒの測定が行われているが、ステップＳＴ２０１の周波数応答特性の測定において、内部インピーダンス｜Ｚ｜若しくは実部Ｒの測定は既に行われているため、周波数ｆｅを用いた再度の測定は省略することが可能である。
【００６７】
図１２は、第３の実施形態に係る蓄電装置状態推定システムにおいて推定値を得る手順の他の例を示す図であり、周波数ｆｅを用いた再度の測定を省略する場合のフローを示す。図１２に示すフローは、図１１に示すフローにおけるステップＳＴ２０４をステップＳＴ２１４に置き換えたものであり、他のステップは図１１に示すフローと同じである。
図１２に示すフローによれば、周波数ｆｅを用いた再度の測定（ＳＴ２０４）が行われる替わりに、既にステップＳＴ２０１で得られた測定値の中から周波数ｆｅに最も近い周波数における測定値が検索され、蓄電装置１０１のＳＯＣ又はＳＯＨの推定に用いるべき測定値として取得される（ＳＴ２１４）。この処理は、例えば内部インピーダン算出部１０５において実行される。
このように、周波数ｆｅを用いた再度の測定を省略することによって測定回数が少なくなるため、蓄電装置状態（ＳＯＣ，ＳＯＨ）の推定に要する時間を短縮できる。
【００６８】
以上、本発明の幾つかの実施形態について説明したが、本発明は上述した実施形態に限定されるものではなく、種々のバリエーションを含んでいる。
【００６９】
例えば、図１に示す蓄電装置状態推定システム１００では、蓄電装置１０１から負荷ＲＬへ流れる電流の経路上に交流信号源部１０２が設けられているが、本発明はこの例に限定されない。本発明の他の実施形態では、例えば図１３に示す蓄電装置状態推定システム１００Ａのように、負荷ＲＬと並列に交流信号源部１０２を接続してもよい。また、この場合、交流信号源部１０２と負荷ＲＬとを接続する信号経路の少なくとも一方にキャパシタＣ１を設けて、交流信号源部１０２に直流電流が流れないようにしてもよい。図１３に示す蓄電装置状態推定システム１００Ａによれば、蓄電装置１０１から負荷ＲＬへ流れる大きな直流電流が交流信号源部１０２を通らないため、交流信号源部１０２における電力消費を抑制できるとともに、交流信号源部１０２で生じた電圧降下による負荷ＲＬの供給電圧の低下を防止できる。
【００７０】
また、図１に示す蓄電装置状態推定システム１００では、内部インピーダンスを測定するために交流信号源部１０２が設けられているが、本発明はこの例に限定されない。本発明の他の実施形態では、例えば図１４において示す蓄電装置状態推定システム１００Ｂのように、負荷ＲＬにおいて発生するパルス状の信号ＴＲを蓄電装置１０１に供給する交流信号として用いることにより、交流信号源部１０２を省略してもよい。
【００７１】
自動車の場合、負荷ＲＬのパルス状の信号ＴＲは、エンジン始動時や回生ブレーキ使用時、急速充電時等に発生する。パルス状信号ＴＲの発生タイミングは、不図示の上位装置等から内部インピーダンス算出部１０５に通知される。内部インピーダンス算出部１０５には、周波数スペクトル分析部が設けられており、パルス状信号ＴＲの発生タイミングが通知されると、そのタイミングにおいて取得された電圧・電流の検出信号に対して周波数スペクトル分析が行われる。そして、この分析により抽出された周波数ｆｅのスペクトル成分（電圧及び電流）に基づいて、周波数ｆｅにおける蓄電装置１０１の簡易的な内部インピーダンスが算出される。
このように、図１４に示す蓄電装置状態推定システム１００Ｂによれば、高い周波数の交流信号を発生する交流信号源部１０２を省略することが可能となり、装置構成を簡易化できる。
【符号の説明】
【００７２】
１００，１００Ａ，１００Ｂ…蓄電装置状態推定システム、１０１…蓄電装置、１０２…交流信号源部、１０３…電流検出部、１０４…電圧検出部、１０５…内部インピーダンス算出部、１０６…状態推定部、ＲＬ…負荷、Ｃ１…キャパシタ。
【図１】
0006019368.tif 000002
【図２】
0006019368.tif 000003
【図３】
0006019368.tif 000004
【図４】
0006019368.tif 000005
【図５】
0006019368.tif 000006
【図６】
0006019368.tif 000007
【図７】
0006019368.tif 000008
【図８】
0006019368.tif 000009
【図９】
0006019368.tif 000010
【図１０】
0006019368.tif 000011
【図１１】
0006019368.tif 000012
【図１２】
0006019368.tif 000013
【図１３】
0006019368.tif 000014
【図１４】
0006019368.tif 000015